(57)【特許請求の範囲】
【請求項１】
溶融金属めっき槽に収容されるめっき浴の上方に配置され、スナウトの内部の雰囲気ガスを冷却しながら上方へ向けて流通させるための雰囲気ガス流通路を有する冷却装置と、前記雰囲気ガスが該冷却装置により冷却されることにより、前記雰囲気ガス流通路の内面に付着した金属蒸気の凝固物を、該内面から剥離させるための付着凝固物剥離装置とを組み合わせて備える金属蒸気除去装置を有し、さらに
該金属蒸気除去装置により金属蒸気を除去された雰囲気ガスを分析するためのガス分析計を有すること
を特徴とするスナウト内の雰囲気ガスの分析装置。
【請求項２】
前記付着凝固物剥離装置は、前記内面に付着した前記金属蒸気の凝固物に外力を作用させることによって、該凝固物を剥離させる請求項１に記載されたスナウト内の雰囲気ガスの分析装置。
【請求項３】
前記付着凝固物剥離装置は、前記冷却装置の外面に装着されたバイブレータである請求項１または請求項２に記載されたスナウト内の雰囲気ガスの分析装置。
【請求項４】
溶融金属めっき槽に収容されるめっき浴の上方に配置され、スナウトの内部の雰囲気ガスを冷却しながら上方へ向けて流通させるための雰囲気ガス流通路を有する冷却装置と、
前記雰囲気ガスが該冷却装置により冷却されることにより、前記雰囲気ガス流通路の内面に付着した金属蒸気の凝固物を、該内面から剥離させるための付着凝固物剥離装置とを組み合わせて備え、
前記雰囲気ガス流通路の下部には、前記めっき浴に浸漬される第１の接続部材が装着されるとともに、前記雰囲気ガス流通路の上部には、前記金属蒸気が除去された前記雰囲気ガスを雰囲気ガス分析計へ導くための第２の接続部材が装着されることを特徴とするスナウト内の雰囲気ガスの金属蒸気除去装置。
【請求項５】
前記第１の接続部材または前記冷却装置には、前記スナウトの内部の雰囲気ガスを前記雰囲気ガス流通路へ導くための雰囲気ガス取込み部材が装着される請求項４に記載されたスナウト内の雰囲気ガスの金属蒸気除去装置。
【請求項６】
さらに、前記雰囲気ガス分析計により前記スナウトの内部の雰囲気ガスを分析する際には、前記雰囲気ガス取込み部材、前記第１の接続部材、前記雰囲気ガス流通路、前記第２の接続部材および前記雰囲気ガス分析計の順、もしくは前記雰囲気ガス取込み部材、前記雰囲気ガス流通路、前記第２の接続部材および前記雰囲気ガス分析計の順に前記雰囲気ガスを流通させるとともに前記付着凝固物剥離装置を停止し、前記雰囲気ガスを分析しない際には、前記雰囲気ガスを流通させないとともに前記付着凝固物剥離装置を運転する制御を行う制御装置を備えること
を特徴とする請求項５に記載されたスナウト内の雰囲気ガスの金属蒸気除去装置。
【請求項７】
前記付着凝固物剥離装置は、前記内面に付着した前記金属蒸気の凝固物に外力を作用させることによって、該凝固物を剥離させる請求項４から請求項６までのいずれか１項に記載されたスナウト内の雰囲気ガスの金属蒸気除去装置。
【請求項８】
前記付着凝固物剥離装置は、前記冷却装置の外面に装着されたバイブレータである請求項４から請求項７までのいずれか１項に記載されたスナウト内の雰囲気ガスの金属蒸気除去装置。
【発明の詳細な説明】
【０００１】
【発明の属する技術分野】
本発明は、溶融金属めっき槽に設けられたスナウトの内部における雰囲気ガスの分析装置及び金属蒸気除去装置に関するものである。
【０００２】
【従来の技術】
周知のように、鋼帯に連続的に溶融金属めっき（以降の説明では溶融亜鉛めっきを例にとる）を行うための溶融亜鉛めっき装置は、鋼帯をめっき可能な温度に加熱するための加熱炉と、加熱した鋼帯を加熱炉から溶融亜鉛めっき槽へ清浄な状態を維持しながら導くためのスナウトと、溶融亜鉛めっき浴を収容する溶融亜鉛めっき槽とを備える。
【０００３】
このスナウトの内部には、雰囲気を清浄に保つため、水素と窒素との混合ガスが吹き込まれる。また、スナウト内の雰囲気を一定に保つため、酸素計、水素計さらには露点計等からなる雰囲気ガス分析計を用いてスナウト内の雰囲気ガスを分析し、この分析結果に基づいてスナウト内に吹き込む混合ガスの組成等を適宜制御している。
【０００４】
ところで、この溶融亜鉛めっきにおける亜鉛溶解温度は約４１９．５℃であるため、めっき浴面から亜鉛蒸気が連続的かつ多量に発生する。このため、雰囲気ガス分析計に導かれる雰囲気ガスにも亜鉛蒸気が含まれる。
【０００５】
この亜鉛蒸気は、腐食性を有し、雰囲気ガス分析計の分析精度や寿命に悪影響を及ぼす。このため、雰囲気ガス分析計のメンテナンスを頻繁に行わざるを得ず、メンテナンスに要する工数や費用が嵩む。したがって、適当な手段を用いて雰囲気ガス分析計に導かれる雰囲気ガスから亜鉛蒸気を除去しておくことが必要である。
【０００６】
このため、一般的に、フィルタを用いて濾過することにより、雰囲気ガスから亜鉛蒸気を除去していた。また、例えば電子クーラ等の冷却装置を用いて雰囲気ガスを一旦冷却することにより亜鉛蒸気を粉体固化することにより、雰囲気ガスから亜鉛蒸気を除去することも知られていた。
【０００７】
【発明が解決しようとする課題】
フィルタを用いた亜鉛蒸気の濾過は、これまでにも様々な改善が行われてきた周知慣用の除去手段である。しかし、亜鉛蒸気は連続的かつ多量に発生するため、フィルタが短時間で早期に目詰まりしてしまう。この場合、雰囲気ガス分析計の稼働を一時的に中断し、逆方向からのパージ等を行って目詰まり解消を図ることを相当の頻度で行う必要があった。さらに、この場合にも、最終的にはフィルタを交換する必要が発生する。このように、フィルタを用いた亜鉛蒸気の濾過は、フィルタのメンテナンスを頻繁に行う必要があるため、雰囲気ガス分析計を長期間安定して稼動することが難しい。
【０００８】
また、電子クーラを用いた亜鉛蒸気の除去には、(a) 電子クーラが複雑であるために設備費が嵩むこと、(b) 除去後の亜鉛粉体の処理（リサイクル）が難しいこと、(c) 電気料金やメンテナンス費用等のランニングコストが嵩むこと、さらには(d) フィルタを用いた場合と同様に、連続的かつ多量に発生する亜鉛蒸気や亜鉛粉体の処理が追い付かず、頻繁にメンテナンスを行う必要があることといった、問題があった。
【０００９】
このため、これらの従来の技術によっても、雰囲気ガス分析計を用いて工業的規模で、溶融金属めっき槽の内部における雰囲気ガスを円滑かつ連続的に分析することができなかった。
【００１０】
本発明の目的は、溶融金属めっき槽に設けられたスナウトの内部における雰囲気ガスの分析装置及び金属蒸気除去装置を提供することであり、例えば、雰囲気ガス分析計を用いてスナウトの内部における雰囲気ガスを分析する際に、工業的規模で雰囲気ガスを安価、円滑および連続的に分析することができる、溶融金属めっき槽に設けられたスナウトの内部における雰囲気ガスの分析装置及び金属蒸気除去装置を提供することである。
【００１１】
【課題を解決するための手段】
前述したように、亜鉛めっきにおける亜鉛溶解温度は約４１９．５℃であるため、亜鉛蒸気はめっき浴面から連続的かつ多量に発生する。そこで、本発明者は鋭意検討を重ねた結果、下記手段(i) 〜(iv)を用いて雰囲気ガスから金属蒸気を除去することにより、雰囲気ガス分析計を用いて工業的規模で雰囲気ガスを安価、円滑および連続的に分析することができることを知見し、さらに検討を重ねて本発明を完成した。
(i) 雰囲気ガスに含まれる金属蒸気を、めっき浴の上方に配置した冷却装置により冷却し粉体化 (凝固) させることにより、雰囲気ガスから金属蒸気を除去することができること。
(ii)冷却装置の内部では、付着した粉体化した金属に次々に供給される金属蒸気が接触するため、粉体化した金属を大きく成長させることができること。
(iii) 成長して重量が増えた金属の粉体の塊は、その付着面に例えば振動を付与することにより、付着面から剥離させてめっき浴へ自由落下させることができること。
(iv)これにより、金属の粉体の塊を自動的に発生源(溶融金属浴面) に戻すことが可能となり、除去後の亜鉛粉体の処理（リサイクル）を、工数増を伴うことなく実現できること。
【００１２】
本発明は、溶融金属めっき槽に収容されるめっき浴の上方に配置され、スナウトの内部の雰囲気ガスを冷却しながら上方へ向けて流通させるための雰囲気ガス流通路を有する冷却装置と、雰囲気ガスが冷却装置により冷却されることにより、雰囲気ガス流通路の内面に付着した金属蒸気の凝固物を、この内面から剥離させるための付着凝固物剥離装置とを組み合わせて備える金属蒸気除去装置を有し、さらに、この金属蒸気除去装置により金属蒸気を除去された雰囲気ガスを分析するためのガス分析計を有することを特徴とするスナウト内の雰囲気ガスの分析装置である。
【００１３】
この本発明にかかるスナウト内の雰囲気ガスの分析装置では、付着凝固物剥離装置が、雰囲気ガス流通路の内面に付着した金属蒸気の凝固物に外力を作用させることによって、この凝固物を剥離させることが望ましい。
【００１４】
これらの本発明にかかるスナウト内の雰囲気ガスの分析装置では、付着凝固物剥離装置が、冷却装置の外面に装着されたバイブレータであることが望ましい。
【００１５】
別の観点からは、本発明は、溶融金属めっき槽に収容されるめっき浴の上方に配置され、スナウトの内部の雰囲気ガスを冷却しながら上方へ向けて流通させるための雰囲気ガス流通路を有する冷却装置と、雰囲気ガスが冷却装置により冷却されることにより、雰囲気ガス流通路の内面に付着した金属蒸気の凝固物を、この内面から剥離させるための付着凝固物剥離装置とを組み合わせて備え、雰囲気ガス流通路の下部には、めっき浴に浸漬される第１の接続部材が装着されるとともに、雰囲気ガス流通路の上部には、金属蒸気が除去された雰囲気ガスを雰囲気ガス分析計へ導くための第２の接続部材が装着されることを特徴とするスナウト内の雰囲気ガスの金属蒸気除去装置である。
【００１６】
この場合において、第１の接続部材または冷却装置には、スナウトの内部の雰囲気ガスを雰囲気ガス流通路へ導くための雰囲気ガス取込み部材が装着されることが望ましい。
【００１７】
この本発明にかかるスナウト内の雰囲気ガスの金属蒸気除去装置では、さらに、雰囲気ガス分析計により溶融金属めっき槽の内部の雰囲気ガスを分析する際には、雰囲気ガス取込み部材、第１の接続部材、雰囲気ガス流通路、第２の接続部材および雰囲気ガス分析計の順、もしくは雰囲気ガス取込み部材、雰囲気ガス流通路、第２の接続部材および雰囲気ガス分析計の順に雰囲気ガスを流通させるとともに付着凝固物剥離装置を停止し、雰囲気ガスを分析しない際には、雰囲気ガスを流通させないとともに付着凝固物剥離装置を運転する制御を行う制御装置を備えることが、望ましい。
【００１８】
この本発明にかかるスナウト内の雰囲気ガスの金属蒸気除去装置では、付着凝固物剥離装置が、雰囲気ガス流通路の内面に付着した金属蒸気の凝固物に外力を作用させることによって、この凝固物を剥離させることが望ましい。
【００１９】
これらの本発明にかかるスナウト内の雰囲気ガスの金属蒸気除去装置では、付着凝固物剥離装置が、冷却装置の外面に装着されたバイブレータであることが望ましい。
【００２０】
【発明の実施の形態】
以下、本発明にかかるスナウト内の雰囲気ガスの分析装置および金属蒸気除去装置の実施の形態を、添付図面を参照しながら詳細に説明する。なお、以降の説明では、溶融金属めっきが溶融亜鉛めっきである場合を例にとる。
【００２１】
図１は、本実施の形態のスナウト内の雰囲気ガスの金属蒸気除去装置１の構成例を模式的に示す説明図である。同図に示すように、本実施の形態の金属蒸気除去装置１は、冷却装置２と、付着凝固物剥離装置３と、第１の接続部材４と、第２の接続部材５と、取込み部材６と、制御装置７とを備えており、この金属蒸気除去装置１と、後述する雰囲気ガス分析計１８とにより、本実施の形態のスナウト内の雰囲気ガスの分析装置が構成される。そこで、本実施の形態の金属蒸気除去装置１のこれらの構成要素について、順次説明する。
【００２２】
［冷却装置２］
本実施の形態の金属蒸気除去装置１は冷却装置２を備える。この冷却装置２は、溶融亜鉛めっき槽に収容されるめっき浴８の浴面８ａの上方に、図示しない適当な支持手段によって支持されて配置される。本実施の形態では、冷却管９により冷却装置２を構成した。この冷却管９の本体には、図示しない冷却水流路が例えば螺旋状に埋設されており、この冷却水流路には冷却水供給管１０ａおよび冷却水排出管１０ｂが接続されている。冷却水を、冷却水供給管１０ａから冷却水流路を介して冷却水排出管１０ｂへ供給することにより、冷却管９の本体を冷却すること、すなわち冷却管９の内部に形成される雰囲気ガス流通路１１を間接的に水冷することができるように構成されている。
【００２３】
本実施の形態では、冷却管９が鉛直上方向きに配置されていることから、雰囲気ガス流通路１１も鉛直上方向きに配置される。このため、後述するように、雰囲気ガス流通路１１の内面１１ａに付着した、亜鉛蒸気の凝固物１２が付着凝固物剥離装置３の作用により剥離すると、凝固物１２はその自重により、鉛直下方向きに自由落下する。
【００２４】
さらに、後述するように、この雰囲気ガス流通路１１を、スナウトの内部の雰囲気ガス（サンプルガス）が鉛直上方へ向けて流通する。このため、この雰囲気ガス流通路１１は、雰囲気ガス（サンプルガス）を冷却しながら上方へ向けて流通させることができる。
本実施の形態の冷却装置２は、以上説明したように構成される。
【００２５】
［付着凝固物剥離装置３］
本実施の形態の金属蒸気除去装置１は付着凝固物剥離装置３を備える。この付着凝固物剥離装置３は、雰囲気ガス（サンプルガス）が冷却装置２により冷却されることにより、雰囲気ガス流通路１１の内面１１ａに付着した金属蒸気の凝固物１２を、この内面１１ａから剥離させるための装置であり、本実施の形態では、付着凝固物剥離装置３として、冷却装置２の外面２ａに装着されたバイブレータ３ａ、３ｂを用いた。
【００２６】
これらのバイブレータ３ａ、３ｂは、いずれも、エアー式のバイブレータであって、圧縮エアー供給源１３に接続されたエアー供給管１４からエアーを供給されることにより、振動を発生する。なお、エアー供給管１４の一部には、後述する制御装置７からの制御信号Ｓ１により作動する電磁弁１５が装着されており、バイブレータ３ａ、３ｂの動作が制御装置７により制御されるように、構成されている。
【００２７】
このように、本実施の形態の付着凝固物剥離装置３は、雰囲気ガス流通路１１の内面１１ａに付着した亜鉛蒸気の凝固物１２に、バイブレータ３ａ、３ｂが発生する振動を用いて外力を作用させることによって、凝固物１２を雰囲気ガス流通路１１の内面１１ａから剥離させる。
本実施の形態の付着凝固物剥離装置３は、以上説明したように構成される。
【００２８】
［第１の接続部材４］
本実施の形態の金属蒸気除去装置１は第１の接続部材４を備える。本実施の形態では、第１の接続部材４として、浸漬管を用いた。この浸漬管４の上端部にはフランジ４ａが設けられており、フランジ４ａは冷却管９の下端部に設けられたフランジ９ａに図示しない締結部材により締結される。これにより、浸漬管４は、雰囲気ガス流通路１１に連通した状態で接続される。また、浸漬管４の下部は、めっき浴８に浸漬される。めっき浴８に浸漬される部分の外面には、耐亜鉛浴材からなるコーティング層４ｂが形成されている。なお、本実施の形態とは異なり、外面にコーティング層４ｂが形成された浸漬管４を用いるのではなく、浸漬管４を例えばＳＵＳ３１６Ｌ等により構成し、一定期間使用して摩耗した場合には交換することとしてもよい。これにより、外面にコーティング層４ｂが形成された浸漬管４を用いるよりも、浸漬管４に要するコストを低減することが可能である。
【００２９】
なお、本実施の形態では、このように、雰囲気ガス流通路１１に連通させて第１の接続部材の一例である浸漬管４を配置したが、これとは異なり、雰囲気ガス流通路１１に連通するとともにめっき浴８には浸漬されない凝固物収容槽を配置し、この凝固物収容槽の内部に堆積した凝固物を定期的に取り除くようにしてもよい。
【００３０】
前述したように、付着凝固物剥離装置３の作用により雰囲気ガス流通路１１の内面１１ａから剥離し、その自重によって鉛直下方向きに自由落下した凝固物１２は、雰囲気ガス流通路１１を通過した後にさらに浸漬管４の内部を鉛直下方向きに自由落下し、めっき浴８に落下する。
本実施の形態の第１の接続部材４は、以上説明したように構成される。
【００３１】
［第２の接続部材５］
本実施の形態の金属蒸気除去装置１は第２の接続部材５を有する。本実施の形態では、第２の接続部材５として配管１６を用いた。配管１６の一端は、雰囲気ガス（サンプルガス）中に含まれる亜鉛蒸気を濾過するためのフィルタ１７を介して、冷却管９の上端部に接続される。一方、配管１６の他端部は、雰囲気ガス分析計１８に接続される。
【００３２】
この雰囲気ガス分析計１８は、酸素計、水素計さらには露点計等からなる周知慣用の雰囲気ガス分析計であり、表示部１８ａに分析結果を表示するとともに、分析結果をスナウト内雰囲気ガス制御装置（図示しない）に出力し、スナウト内の雰囲気を制御する。
【００３３】
なお、雰囲気ガス分析計１８には、採取した雰囲気ガス（サンプルガス）を排出するための排出用配管１９の一端が接続される。この排出用配管１９の他端は、排気用ポンプ２０に接続される。排出用配管１９には、制御装置７からの制御信号Ｓ２により制御される電磁弁２１が装着される。
【００３４】
このように、本実施の形態では、雰囲気ガス流通路１１の上部に、金属蒸気が除去された雰囲気ガスを雰囲気ガス分析計１８へ導くための第２の接続部材５が装着される。
本実施の形態の第２の接続部材５は、以上説明したように構成される。
【００３５】
［取込み部材６］
本実施の形態の金属蒸気除去装置１は取込み部材６を有する。この取込み部材６は、第１の接続部材４に溶接されて装着され、スナウトの内部の雰囲気ガスＧを雰囲気ガス流通路１１へ導くための部材であり、本実施の形態では、配管２２を用いた。
【００３６】
配管２２の制御装置７からの制御信号Ｓ３により制御される電磁弁２３が装着される。なお、本実施の形態とは異なり、電磁弁２３は用いなくともよい。これにより、金属蒸気除去装置１の部品点数をさらに低減できる。
本実施の形態の取込み部材６は、以上説明したように構成される。
【００３７】
［制御装置７］
本実施の形態の金属蒸気除去装置１は制御装置７を有する。この制御装置７は、予め設定されたプログラムに基づいて、電磁弁１５、２１、２３にそれぞれ制御信号Ｓ１、Ｓ２、Ｓ３をそれぞれ出力することにより、電磁弁１５、２１、２３それぞれの開閉動作を制御する。
【００３８】
すなわち、制御装置７は、(a) 雰囲気ガス分析計１８によりスナウトの内部の雰囲気ガスＧを分析する際には、電磁弁２１、２３に開信号Ｓ２、Ｓ３を、電磁弁１５に閉信号Ｓ１をそれぞれ出力することによって、雰囲気ガス取込み部材６、第１の接続部材４、雰囲気ガス流通路１１、第２の接続部材５および雰囲気ガス分析計１８の順に雰囲気ガスＧを流通させるとともに付着凝固物剥離装置３を停止し、(b) 雰囲気ガスＧを分析しない際には、電磁弁２１、２３に閉信号Ｓ２、Ｓ３を、電磁弁１５に開信号Ｓ１をそれぞれ出力することによって、雰囲気ガスＧを流通させず、かつ付着凝固物剥離装置３を運転する制御を行う。
【００３９】
このように、本実施の形態の金属蒸気除去装置１は、冷却装置２と、付着凝固物剥離装置３と、第１の接続部材４と、第２の接続部材５と、取込み部材６と、制御装置７とを備える。次に、本実施の形態の金属蒸気除去装置１の動作を説明する。
【００４０】
[動作の説明]
雰囲気ガス分析計１８によりスナウトの内部の雰囲気ガスＧを分析する場合、制御装置７は、予め定められたプログラムにより、電磁弁２１、２３に開信号Ｓ２、Ｓ３を、電磁弁１５に閉信号Ｓ１をそれぞれ出力する。これにより、400 〜500 ℃程度の溶融亜鉛めっき浴８のめっき面８ａの雰囲気ガスＧは、配管２２をより吸入され、浸漬管４を介して冷却管９の雰囲気ガス流通路１１に導かれる。
【００４１】
この冷却管９は冷却水により冷却されているため、雰囲気ガス流通路１１に導かれた雰囲気ガスＧは冷却温度差数100 ℃程度で急速に冷却される。このため、雰囲気ガスＧに含まれた亜鉛蒸気は、雰囲気ガス流通路１１の内面１１ａに亜鉛蒸気の凝固物１２として凝固する。
【００４２】
この際、内面１１ａに付着・凝固した凝固物１２には、次々に亜鉛蒸気が供給されて接触するため、凝固物１２は大きく成長し、粉体状から塊状となる。この繰り返しにより、雰囲気ガスＧから亜鉛蒸気が確実に除去され、雰囲気ガスＧは連続的に清浄化される。
【００４３】
亜鉛蒸気が除去された雰囲気ガスＧは、雰囲気ガス流通路１１およびフィルタ１７を通過した後、配管１６を介して雰囲気ガス分析計１８に導かれる。このようにして、雰囲気ガス分析計１８により雰囲気ガスＧの分析が行われる。
【００４４】
一方、雰囲気ガス分析計１８によりスナウトの内部の雰囲気ガスＧを分析しない場合、制御装置７は、予め定められたプログラムにより、電磁弁２１、２３に閉信号Ｓ２、Ｓ３を、電磁弁１５に開信号Ｓ１をそれぞれ出力する。これにより、バイブレータ３が起動し、雰囲気ガス流通路１１の内面１１ａに付着して塊状に成長した亜鉛蒸気の凝固物１２を振るい落とす。
【００４５】
振るい落とされた亜鉛蒸気の凝固物１２は、雰囲気ガス流通路１１および浸漬管４を経由して、亜鉛浴面８ａに自由落下する。亜鉛浴面８ａの温度は400 ℃程度であるから落下した凝固物１２は溶解し、溜まることはない。このように、本実施の形態によれば、人手を要さず自動的に亜鉛蒸気を回収および処理することができる。
【００４６】
この動作を一定時間継続して行うことにより、雰囲気ガス流通路１１の内面１１ａに付着した凝固物１２が除去された後、制御装置７は、予め定められたプログラムにより、電磁弁２１、２３に開信号Ｓ２、Ｓ３を、電磁弁１５に閉信号Ｓ１をそれぞれ出力する。これにより、雰囲気ガス（サンプルガス）の分析を再開する。以降、このような操作を繰り返す。
【００４７】
このように、本実施の形態の金属蒸気除去装置１によれば、鋼帯の連続亜鉛めっき設備におけるスナウト内の雰囲気ガスＧが清浄化されて雰囲気ガス分析計１８に供給されるため、雰囲気ガス分析計１８のメンテナンス頻度を従来に比較して大幅に伸ばすことができるとともに、雰囲気ガス分析計１８は安定して稼働し、高精度で分析することができる。このため、鋼帯のメッキ品質等の向上が図られる。
【００４８】
また、本実施の形態の金属蒸気除去装置１によれば、(a) 連続的に多量に発生する亜鉛蒸気を人が介入することなく自動的に除去できること、(b) 除去した亜鉛の凝固物を長時間滞留させることなく自動的に除去・回収できること、(c) 腐食性の亜鉛蒸気を含む雰囲気ガスＧが雰囲気ガス分析計１８等に与える障害を除去できること、(d) 安価であり、ランニングコストが殆どかからないことという効果が得られる。
【００４９】
さらに、本実施の形態の金属蒸気除去装置１は、極めて少ない部品点数で頑強に構成されているため、環境が厳しいスナウト近傍に設置されても長期間安定して稼働することができる。
【００５０】
このため、本実施の形態により、雰囲気ガス分析計１８を用いてスナウトの内部における雰囲気ガスＧを分析する際に、工業的規模で雰囲気ガスＧを安価、円滑および連続的に分析することができる、スナウトの内部における雰囲気ガスＧの亜鉛蒸気除去装置１を提供できた。
【００５１】
（変形形態）
実施の形態の説明では、溶融金属めっきが溶融亜鉛めっきである場合を例にとった。しかし、本発明は溶融亜鉛めっきに限定されるものではなく、溶融亜鉛めっき以外の他の溶融金属めっきについても同様に適用される。
【００５２】
また、実施の形態の説明では、冷却装置２が溶融金属めっき槽の鉛直上方に配置されている場合を例にとった。しかし、本発明はこの形態には限定されず、冷却装置２が溶融金属めっき槽の鉛直上方から外れた位置にあってもよい。この場合には、冷却装置２を構成する冷却管３、すなわち雰囲気ガス流通路１１を屈曲して配置すればよいからである。
【００５３】
また、実施の形態の説明では、付着凝固物剥離装置３が、冷却装置２の外面に装着されたバイブレータ３ａ、３ｂである場合を例にとった。しかし、本発明における付着凝固物剥離装置はこのバイブレータ３ａ、３ｂには限定されず、雰囲気ガス流通路１１の内面１１ａに付着した金属蒸気の凝固物を、雰囲気ガス流通路１１の内面１１ａから剥離させることができる装置であれば、等しく適用される。例えば、電動式バイブレータや作業者による打撃、さらには雰囲気ガス流通路１１の内面１１ａに付着した金属蒸気の凝固物を掻き落とすことができるスクレーパ等を適宜配置することによっても、同様の作用効果を達成することができる。
【００５４】
また、実施の形態および実施例の説明では、取込み部材６が第１の接続部材４に装着された場合を例にとった。しかし、本発明はこの形態には限定されず、取込み部材６が例えば冷却装置２に接続されていてもよい。この場合、制御装置７は、雰囲気ガス分析計１８によりスナウトの内部の雰囲気ガスＧを分析する際には、電磁弁２１、２３に開信号を、電磁弁１５に閉信号をそれぞれ出力することによって、雰囲気ガス取込み部材６、雰囲気ガス流通路１１、第２の接続部材５および雰囲気ガス分析計１８の順に雰囲気ガスを流通させ、かつ付着凝固物剥離装置３を停止させ、一方、雰囲気ガス分析計１８によりスナウトの内部の雰囲気ガスＧを分析しない際には、電磁弁２１、２３に閉信号を、電磁弁１５に開信号をそれぞれ出力することによって、雰囲気ガスを流通させず、かつ付着凝固物剥離装置３を起動すればよい。
【００５５】
さらに、実施の形態で示した付着凝固物剥離装置３は、あくまでも、本発明の例示であり、本発明は、溶融金属めっき浴の上方に配置されて溶融金属めっき槽の内部の雰囲気ガスＧを冷却しながら上方へ向けて流通させるための雰囲気ガス流通路１１を有する冷却装置２と、この冷却装置２により冷却されることにより、雰囲気ガス流通路１１の内面１１ａに付着した金属蒸気の凝固物１２を、剥離させるための付着凝固物剥離装置３とを組み合わせて備える装置であれば、本発明に包含される。
【００５６】
【発明の効果】
以上詳細に説明したように、本発明により、雰囲気ガス分析計を用いてスナウトの内部における雰囲気ガスを分析する際に、工業的規模で雰囲気ガスを安価、円滑および連続的に分析することができる、溶融亜鉛めっき槽に設けられたスナウトの内部における雰囲気ガスの分析装置及び亜鉛蒸気除去装置を提供することができた。
かかる効果を有する本発明の意義は極めて著しい。
【図面の簡単な説明】
【図１】実施の形態のスナウト内の雰囲気ガスの金属蒸気除去装置の構成例を模式的に示す説明図である。
【符号の説明】
１  金属蒸気除去装置
２  冷却装置
３  付着凝固物剥離装置
８  めっき浴
１１  雰囲気ガス流通路
１１ａ  内面
１２  金属蒸気の凝固物
【図１】
0003617465.tif 000002